(57)【要約】      （修正有）【課題】安全性が高く、組立てが容易な扁平多節傘を提供する。【解決手段】扁平多節傘は、中棒３上方に位置する上ロクロ１、及び中棒３中段に位置する下ロクロ２を扁平状に設計し、上ロクロ１にはＣ型リング、上蓋と下蓋を備え、Ｃ型リングを先ず、上ロクロ１の本体内において、一部の傘親骨の前端４１と結合し、次に、結合栓１５により、上蓋、本体、下蓋に結合し、最後に残りの傘親骨４ａ、４ｄに接続する。下ロクロ２も、上ロクロ１と同様の組み合わせ方式により、傘受け骨５と結合される。【選択図】図１
0003168672.tif 000002
【実用新案登録請求の範囲】
【請求項１】
上ロクロ構造を備え、
前記上ロクロ構造は、本体、Ｃ型リング、上蓋と下蓋、結合栓を備え、
前記本体は、その下方に、嵌合部、及びその両側辺に、２個の凸ブロックを設置し、前記２個の凸ブロックには、２個の嵌合槽を設置し、前記嵌合部は、中棒の頂点端に係合し、前記Ｃ型リングは、先ず、前記本体の嵌合槽に通して設置し、複数の傘親骨の前端と結合し、
前記上蓋と前記下蓋は、その両側に、それぞれ翼部を設置し、両者を前記本体に設置後に形成する翼部を、さらに、２本の傘親骨の前端と結合し、
前記結合栓は、前記下蓋、前記本体、前記中棒、前記上蓋をそれぞれ貫通し、全体を結合することを特徴とする扁平多節傘。
【請求項２】
前記上ロクロ構造の本体の上方には、両側径方向に延伸する方形係合ブロックを設置し、前記方形係合ブロックと前記上蓋、前記下蓋に設置する方形孔は、それぞれ係合して定位されることを特徴とする請求項１に記載の扁平多節傘。
【請求項３】
前記上ロクロ構造の本体の下方には、径方向に延伸する小円突ブロックを設置し、
前記小円突ブロックと、前記上蓋、前記下蓋に設置する凹槽は、それぞれ係合して定位されることを特徴とする請求項１に記載の扁平多節傘。
【請求項４】
前記上ロクロ構造の上蓋、前記下蓋の翼部と、前記２本の傘親骨の前端との結合には、リベット結合の方式を採用することを特徴とする請求項１に記載の扁平多節傘。
【請求項５】
下ロクロ構造を備え、
前記下ロクロ構造は、本体、Ｃ型リング、上蓋と下蓋を備え、
前記本体は、管体状で、しかも中棒の中段位置に、可動状態で設置し、また、その両側辺に、２個の凸ブロックを設置し、しかも前記２個の凸ブロックには、２個の嵌合槽を設置し、
前記Ｃ型リングは、先ず、前記本体の嵌合槽に通して設置し、次に、複数の傘受け骨の下端と結合し、
前記上蓋と前記下蓋は、両側に、それぞれ翼部を設置し、両者を前記本体に設置後に形成する翼部を、さらに、２本の傘受け骨の下端と結合することを特徴とする請求項１に記載の扁平多節傘。
【請求項６】
前記下ロクロ構造の本体の上方には、径方向に延伸する係合ブロックを設置し、前記係合ブロックと前記上蓋、前記下蓋に設置する凹部は、それぞれ係合して定位されることを特徴とする請求項５に記載の扁平多節傘。
【請求項７】
前記下ロクロ構造の上蓋、下蓋の下方には、下方へと延伸する２個の小挿入ピンを設置し、
前記小挿入ピンと前記本体に設置する挿入孔とは、相互に係合して定位することを特徴とする請求項５に記載の扁平多節傘。
【請求項８】
前記下ロクロ構造の上蓋、前記下蓋の翼部と、前記２本の傘受け骨の下端との結合には、リベット結合の方式を採用することを特徴とする請求項５に記載の扁平多節傘。
【考案の詳細な説明】
【技術分野】
【０００１】
本考案は扁平多節傘に関し、特に上ロクロ、下ロクロを扁平状に設計する扁平多節傘に関する。
【背景技術】
【０００２】
図６は、従来の傘６の下ロクロ６２と傘受け骨８の結合方式を示す。
図に示すように、通常、下ロクロ６２は、中空管体で、中棒７の中段位置に可動状態で設置する。
上ロクロ６１(図示なし)は、中棒７の頂点端に固定して設置し、また下ロクロ６２には、径方向に等しく分布する複数の可動設置槽６２１を設置する。
クランプ６３を通して、複数の傘受け骨８の下端８１を、対応する可動設置槽６２１内にそれぞれ結合し、さらに下ロクロ６２を押して、中棒７上において移動させ、これにより傘の開閉を行う。
【０００３】
クランプ６３は、一般に、１本の金属線である。
クランプ６３は、傘受け骨８下端８１の通過孔８１１と下ロクロ６２の数個の可動設置槽６２１を、それぞれ通過した後、金属線の両端はさらに巻きつき、結合部６３１を形成し、次に、下ロクロ６２の収容設置槽６２２に収容され、こうして下ロクロ６２と傘受け骨８の組立てを完成する。
従来の傘６の上ロクロ６１と傘親骨も、相同の組立て方式を採用する。
【０００４】
しかし、上記した上ロクロ６１と傘親骨の結合、及び下ロクロ６２と傘受け骨８の結合は、共にクランプ６３に頼っている。
さらに、クランプ６３の結合部６３１は、尖った先端形状であるため、組立て者或いは使用者が怪我をし易い。
本考案は、従来の扁平多節傘の上記した欠点に鑑みてなされたものである。
【考案の概要】
【考案が解決しようとする課題】
【０００５】
本考案が解決しようとする第一の課題は、上ロクロと下ロクロの構造の安全性が高い扁平多節傘を提供することである。
本考案が解決しようとする第二の課題は、組立てが容易な扁平多節傘を提供することである。
【課題を解決するための手段】
【０００６】
上記課題を解決するため、本考案は下記の扁平多節傘を提供する。
扁平多節傘は、上ロクロ構造を備え、
該上ロクロ構造は、本体、Ｃ型リング、上蓋と下蓋、結合栓を備え、
該本体は、その下方に、嵌合部、及びその両側辺に、２個の凸ブロックを設置し、該２個の凸ブロックには、２個の嵌合槽を設置し、該嵌合部は、中棒の頂点端に係合し、
該Ｃ型リングは、先ず、該本体の嵌合槽に通して設置し、複数の傘親骨の前端と結合し、該上蓋と該下蓋は、その両側に、それぞれ翼部を設置し、両者を該本体に設置後に形成する翼部を、さらに、２本の傘親骨の前端と結合し、
該結合栓は、該下蓋、該本体、該中棒、該上蓋をそれぞれ貫通し、全体を結合し、
該上ロクロ構造の本体の上方には、両側径方向に延伸する方形係合ブロックを設置し、該方形係合ブロックと該上蓋、該下蓋に設置する方形孔は、それぞれ係合して定位され、
該上ロクロ構造の本体の下方には、径方向に延伸する小円突ブロックを設置し、
該小円突ブロックと、該上蓋、該下蓋に設置する凹槽は、それぞれ係合して定位され、
該上ロクロ構造の上蓋、該下蓋の翼部と、該２本の傘親骨の前端との結合には、リベット結合の方式を採用し、
扁平多節傘は、下ロクロ構造を備え、
該下ロクロ構造は、本体、Ｃ型リング、上蓋と下蓋を備え、
該本体は、管体状で、しかも中棒の中段位置に、可動状態で設置し、また、その両側辺に、２個の凸ブロックを設置し、しかも該２個の凸ブロックには、２個の嵌合槽を設置し、該Ｃ型リングは、先ず、該本体の嵌合槽に通して設置し、次に、複数の傘受け骨の下端と結合し、
該上蓋と該下蓋は、両側に、それぞれ翼部を設置し、両者を該本体に設置後に形成する翼部を、さらに、２本の傘受け骨の下端と結合し、
該下ロクロ構造の本体の上方には、径方向に延伸する係合ブロックを設置し、該係合ブロックと該上蓋、該下蓋に設置する凹部は、それぞれ係合して定位され、
該下ロクロ構造の上蓋、下蓋の下方には、下方へと延伸する２個の小挿入ピンを設置し、該小挿入ピンと該本体に設置する挿入孔とは、相互に係合して定位し、
該下ロクロ構造の上蓋、該下蓋の翼部と、該２本の傘受け骨の下端との結合には、リベット結合の方式を採用する。  
【考案の効果】
【０００７】
本考案の扁平多節傘は、従来の技術に比べ、以下の効果を達成することができる。
1.  傘親骨に結合するＣ型リングを、上ロクロ或いは下ロクロ内に完全に隠すことができるため、人を傷つける可能性がある先鋭な先端部位が露出せず、傘の組立て人員或いは使用者が怪我をするという恐れを払拭することができる。
2.  上ロクロと下ロクロの構造は共に扁平状で、さらに各自が上下蓋構造を備えるため、傘親骨、傘受け骨との結合が容易で、こうして傘の組立てにかかる時間を短縮することができる。
【図面の簡単な説明】
【０００８】
【図１】本考案扁平多節傘の構造である。
【図２】本考案扁平多節傘の上ロクロの構造図である。
【図３】本考案扁平多節傘の上ロクロの分解図である。
【図４】本考案扁平多節傘の下ロクロの構造図である。
【図５】本考案扁平多節傘の下ロクロの分解図である。
【図６】従来の構造の模式図である。
【考案を実施するための形態】
【０００９】
以下に図面を参照しながら本考案を実施するための最良の形態について詳細に説明する。
【００１０】
図１、２、４に示すように、本考案扁平多節傘は、上ロクロ１、下ロクロ２、中棒３、傘親骨４、傘受け骨５共に扁平状で、これにより全体体積を縮小することができる。
【００１１】
本実施例中の傘親骨４は、４a、４b、４c、４d、４e、４fの６本で、傘親骨４に対応する傘受け骨５も、５a、５b、５c、５d、５e、５fの６本である。
傘親骨４の前端４１には、結合孔４１１を設置し、傘受け骨５の上端、下端には、それぞれ結合孔を設置する。
傘受け骨５の上端の結合孔は、リベットにより、対応する傘親骨４の中段位置に可動状態で設置される。
これにより、下ロクロ２を押すことで、傘を開閉することができる。
【００１２】
本考案扁平多節傘は、上ロクロ１、下ロクロ２、中棒３、複数の傘親骨４、複数の傘受け骨５を備える。
図２、３に示すように、上ロクロ１全体は扁平状で、しかも中棒３の頂点端３１に固定して設置する。
上ロクロ１はさらに、本体１１、Ｃ型リング１２、上蓋１３、下蓋１４を備える。
【００１３】
本体１１は、その下方に、嵌合部１１１、及びその両側辺に、２個の凸ブロック１１２を設置する。
２個の凸ブロック１１２には、２個の嵌合槽１１３を設置する。
嵌合部１１１は、中棒３の頂点端３１に係合する。
また、本体１１の上方部位には、径方向に延伸する方形係合ブロック１１４を設置し、本体１１の中段位置の上下両側は、小円突ブロック１１５をそれぞれ径方向に延伸する。
【００１４】
Ｃ型リング１２は、先ず、本体１１両側の嵌合槽１１３に通して設置し、次に、複数の傘親骨４b、４c、４e、４fの前端４１の結合孔４１１と結合後、さらにＣ型に湾曲する。
上蓋１３と下蓋１４は、上蓋１３と下蓋１４の両側に、それぞれ翼部１３１、１４１を設置し、両者を本体１１に設置後に形成する翼部を、さらに、残りの傘親骨４a、４dの前端４１の結合孔４１１と、２個のリベット１６により結合する。
しかも、その上方に設置する方形孔１３２、１４２、は、本体１１の係合ブロック１１４に係合され、上蓋１３、下蓋１４の下方に設置する凹槽１３３、１４３は、本体１１の係合ブロック１１４にそれぞれ係合される。
さらに、結合栓１５は、下蓋１４、本体１１、中棒３、上蓋１３をそれぞれ貫通し、リベット結合される。
【００１５】
図４、５に示すように、下ロクロ２全体は扁平状で、しかも中棒３の中段位置に設置する。
下ロクロ２はさらに、本体２１、Ｃ型リング２２、上蓋２３、下蓋２４を備える。
【００１６】
本体２１は、管体状で、しかも貫通孔２１１を設置し、中棒３の中段位置に、可動状態で設置する。
また、その両側辺に、２個の凸ブロック２１２を設置し、しかも２個の凸ブロック２１２には、２個の嵌合槽２１３を設置する。
また、本体２１の下方両側は、径方向に係合ブロック２１４を形成し、本体２１は、上蓋２３下方の小挿入ピン２３３、及び下蓋２４下方の小挿入ピン２４３に対応して、４個の挿入孔２１５を設置する。
【００１７】
Ｃ型リング２２は、先ず、本体２１の２個の嵌合槽２１３に通して設置し、次に、複数の傘受け骨５b、５c、５e、５fの下端５１の結合孔５１１と結合後、さらにＣ型に湾曲する。
上蓋２３と下蓋２４は、上蓋２３と下蓋２４の両側に、それぞれ翼部２３１、２４１を設置し、両者を本体２１に設置後に形成する翼部を、さらに、残りの傘受け骨５a、５dの下端５１の結合孔５１１と、２個のリベット２５により結合する。
別に、上蓋２３、下蓋２４は、凹部２３２、２４２をそれぞれ設置し、本体２１の係合ブロック２１４と、係合して定位される。
【００１８】
上ロクロ１と傘親骨４、及び下ロクロ２と傘受け骨５の結合方式は、本考案の重点である。
また、傘親骨４の一部は、Ｃ型リング１２を用いて、本体１１に係合して接続後、上蓋及び下蓋１３により蓋をし、しかも下ロクロ２もまた、相同の手段を運用し、傘受け骨５と結合する点も、本考案の重点である。
これにより、組立てが簡単となる他、Ｃ型リング１２、２２を、上ロクロ１、下ロクロ２内に隠すことができ、尖鋭部位が露出することがないため、傘の組立て人員、及び使用者が怪我をするという恐れを払拭することができる。
すなわち、本考案の扁平多節傘は、最も安全な傘であるといえる。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２１】
１  上ロクロ
１１  本体
１１１  嵌合部
１１２  凸ブロック
１１３  嵌合槽
１１４  方形係合ブロック
１１５  小円突ブロック
１２  Ｃ型リング
１３  上蓋
１３１  翼部
１３２  方形孔
１３３  凹槽
１４  下蓋
１４１  翼部
１４２  方形孔
１４３  凹槽
１５  結合栓
１６  リベット
２  下ロクロ
２１  本体
２１１  貫通孔
２１２  凸ブロック
２１３  嵌合槽
２１４  係合ブロック
２１５  挿入孔
２２  Ｃ型リング
２３  上蓋
２３１  翼部
２３２  凹部
２３３  小挿入ピン
２４  下蓋
２４１  翼部
２４２  凹部
２４３  小挿入ピン
２５  リベット
３  中棒
３１  頂点端
４  傘親骨
４１  前端
４１１  結合孔
５  傘受け骨
５１  下端
５１１  結合孔
６  従来の傘
６１  上ロクロ
６２  下ロクロ
６２１  可動設置槽
６２２  収容設置槽
６３  クランプ
６３１  結合部
７  中棒
８  傘受け骨
８１  下端  
８１１  通過孔  
【図１】
0003168672.tif 000003
【図２】
0003168672.tif 000004
【図３】
0003168672.tif 000005
【図４】
0003168672.tif 000006
【図５】
0003168672.tif 000007
【図６】
0003168672.tif 000008